(57)【要約】【課題】トイレに取り付ける擬音発生装置を、別施工ではなく簡単に設置できるとともに、前記装置内の電池盗難を防止する。【解決手段】トイレットペーパーの紙巻器の天板上もしくは天板として、スピーカー，制御基板，電源部を有する擬音発生装置を備える紙巻器。これにより、トイレの必需品であるトイレットペーパーを取り付ける際に、別の工程をとらずに擬音発生装置を設置でき、簡単に取り付けられるとともに、トイレットペーパー内に擬音発生装置があることにより電池の盗難を防止することができる。【選択図】図１
2006095027.tif 000002
【特許請求の範囲】
【請求項１】
トイレットペーパのロールを固定するハンガーと、トイレットペーパを切取るための紙切板と、前記紙切板の上方に位置し、トイレで用をたす際に荷物等を置く棚として使用可能な天板を有する紙巻器であって、前記紙巻器の天板の上もしくは天板の代わりに、スピーカと制御基板、電源部を有する擬音発生装置が結合し一体化している事を特徴とする紙巻器。
【請求項２】
擬音発生の為に使用するスピーカを下向きに配置している事を特徴とする請求項１記載の紙巻器。
【請求項３】
擬音発生の為に使用するスピーカの下方に開口部を設けている事を特徴とする請求項２記載の紙巻器。
【請求項４】
天板内部に圧力センサを配置している事を特徴とする請求項１から請求項３のいずれかに記載の紙巻器。
【請求項５】
紙巻器もしくは擬音発生装置の内部に振動センサを配置している事を特徴とする請求項１から請求項４のいずれかに記載の紙巻器。
【請求項６】
擬音発生の為の電源として擬音発生装置内部に電池を配置し、この電池の交換をする際に開閉を行なう蓋を、トイレットペーパ保持部の上に配置した事を特徴とする請求項１から請求項５のいずれかに記載の紙巻器。
【発明の詳細な説明】
【技術分野】
【０００１】
本発明はトイレにて使用される紙巻器に係り、特に主に女性がトイレにて用をたす際に消音の目的として使用する擬音発生装置としての機能を備える紙巻器に関するものである。
【背景技術】
【０００２】
現在、トイレで用をたす際に消音させるためとして、特許文献１に示すように流水音等の擬音を発生させる擬音発生装置や、特許文献２に示すようにトイレットペーパを保持するトイレットペーパのホルダ（紙巻器）が開示されている。しかしながら紙巻器であって擬音発生装置としての機能を備えるものは存在しない。トイレ空間に必ず存在すると言える紙巻器に擬音発生装置を一体に結合させて共用できるようにすることで、従来の欠点も解決することが望ましい。
【特許文献１】特開２０００−１４５９９号公報
【特許文献２】特開平７−１３２１１３号公報
【発明の開示】
【発明が解決しようとする課題】
【０００３】
本発明は、トイレットペーパのロールを保持しトイレットペーパを巻き取る為に利用する紙巻器と、主に女性がトイレにて用をたす際に消音のために水を流す行為を、流水音を発生させることで防いで節水効果を得ることを目的とする擬音発生装置の二つの機能を有した紙巻器を提供するものである。
【０００４】
本発明の解決する技術問題は、従来の紙巻器と擬音発生装置がいずれも単独個体とされ、別々に施工作業を行なわなければならないため経済性が悪く、またトイレ空間のスッキリ感を損なうことである。
【０００５】
本発明の解決する別の技術問題は、紙巻器以外のアクセサリー商品と一体としても必ずトイレに設置されるとは限らなく、設置されていてもトイレの便座から離れた所にあって操作できないことが考えられる。
【０００６】
本発明の解決するさらに別の技術問題は、トイレにて擬音を発生させるには使用者がスイッチ操作をする必要があり、使用者の意識によって擬音発生装置の使用頻度が下がる事も考えられ、本来の目的である節水効果が得られないことである。
【０００７】
本発明の解決するさらに別の技術課題は、電池を電源とした従来の擬音発生装置において、電池の取り出し口が使用者の目に付く構造の場合、悪戯や電池の盗難が発生しやすいことである。
【課題を解決するための手段】
【０００８】
本発明は前記課題を解決するために、トイレットペーパ保持部とその上方に連結される擬音発生装置部から構成される紙巻器とし、前記トイレットペーパにはトイレットペーパのロールを固定するハンガーと、トイレットペーパを切取るための紙切板と、前記トイレットペーパ保持部を取り付け壁に固定するための固定板から構成されている。前記擬音発生装置部は屋内配線と結合するための端子台もしくは電池等の電源部と制御基板と赤外線センサを備えたスイッチ基板と下向きに配置されたスピーカを内蔵し、前記スピーカの下方には音を逃がす開口部を設けている。また前記トイレットペーパ保持部の固定板にも前記開口部の下方に位置する場所に開口部を設けている。前記擬音発生装置部はまた、その
内部に振動を検知するセンサもしくは天板部に圧力を検知するセンサを備え、振動もしくは天面に圧力を付加されることで自動的に擬音を発生する。振動もしくは天面に圧力が付加されなくても、使用者が赤外線センサに手をかざすことで擬音を発生させることができる。前記擬音発生装置部の電源として電池を使用した場合において、電池の取出し口を前記擬音発生装置部の底面側に設け、前記トイレットペーパ保持部の固定板にも前記電池取出し口の下方に位置する場所に開口部を設けている。
【発明の効果】
【０００９】
以上の説明から明らかなように、本発明は上記した構成により擬音発生装置を備えるのに新たな施工が必要といった問題を改善し経済的であると共に、紙巻器の天板部に擬音発生装置を納める事で、その他のアクセサリー商品と組合せるより操作性などで最も使い勝手がよく、その上スッキリとしたトイレ空間を保つことができる。
【００１０】
本発明はまた、上記した構成により使用者の意図とは別に強制的に擬音を発生させることで使用率を高め、節水効果を上げ経済的であると共に、環境保護に役立つことができる。
【００１１】
本発明はさらに、上記した構成によりある一方のトイレットペーパを取り外した状態で、且つ紙切板を下げた状態でなければ電池取出し口が見えず電池交換ができない構造であるため、一般のトイレ使用者にはその存在を気付かれることはなく、悪戯や電池の盗難を防ぐことができ、品質の高い紙巻器を提供できる。
【発明を実施するための最良の形態】
【００１２】
以下本発明の一実施例について図面を参照して説明する。
【００１３】
図１に示すように、大きく分けてトイレットペーパ保持部１、前記トイレットペーパ保持部１に対し上方に連結される擬音発生装置部２の２ブロックで構成されている。
【００１４】
前記トイレットペーパ保持部１はトイレットペーパ３を引掛けるハンガー４と、前記トイレットペーパ３を切る為の紙切板５で構成されている。前記擬音発生装置部２は、本体ケース６の中に下向きに配置されたスピーカ７と制御基板８とスイッチ基板９と振動センサ１０と電池収納部１１を備え、前記電池収納部１１は前記本体ケース６と爪１２により固定されており、前記爪を逃がすことにより前記本体ケース６の下方より着脱可能な構造とする。前記本体ケース６の前面には前記スイッチ基板９に備え付けられた赤外線センサの窓１３と、同じく前記スイッチ基板９に備え付けられた音停止用スイッチを操作するためのボタン１４を備えている。前記本体ケース６は前記スピーカ７の下方にスピーカ開口部１５を設けている。前記本体ケース６はまた、トイレにて用をたす際に荷物置き等として使用可能な天板１６とネジ１７によって結合されている。また前記天板１６はその内部に圧力センサ１８を内蔵している。前記トイレットペーパ保持部１はネジ１９によりＬ字型の固定板２０を介して取り付け壁２１に固定され、前記擬音発生装置部２は前記固定板２０の上方に位置し、前記固定板２０の下側よりネジ２２によって前記本体ケース６に結合されている。この時前記固定板２０は前記スピーカ開口部１５の下と電池収納部１１の下に位置するところに各々開口部２３と電池取外し開口部２４を設けている。
【００１５】
上記構成において動作を説明する。トイレの使用者が前記窓１３に手をかざすと赤外線センサが反応して前記スピーカ７より擬音が発生される。この時前記スピーカ開口部１５と前記開口部２３の存在により、擬音は音量を落とすことなく下方へと発せられる。トイレの使用者が仮に前記窓１３に手をかざさなくても前記天板１６に物を置く事により、前記圧力センサ１８が感知し擬音は自動に発生する。更にもしトイレの使用者が前記天板１６に物を置かなくても、紙巻器に触れたり前記トイレットペーパ３を巻き取る動作を行な
うと前記振動センサ１０がその振動を感知し擬音を自動に発生させることができる。この時、使用者が擬音を必要としないと判断した場合は、前記ボタン１４を操作することにより強制的に擬音を止める事も可能である。電池の交換を行なう時は、まず前記開口部２４の下方に位置する前記トイレットペーパ３を前記ハンガー４から取り外し、次に前記紙切板５を下に逃がした状態で前記爪１２を操作して前記本体ケース６から前記電池収納部１１を取り外す。前記電池収納部１１の電池を入れ替えた後、逆の手順で元の状態に納めて完了する。
【００１６】
このように本発明の実施例の紙巻器によれば、前記トイレットペーパ保持部１と前記擬音発生装置部２がＬ字型の前記固定板２０により結合された構造としていることから、前記取り付け壁２１に対し前記トイレットペーパ保持部１を固定すれば、同時に前記擬音発生装置部２も設置でき施工を２度に分ける必要もなく経済的で、かつ前記スピーカ７を下向きに配置することにより、防水性や防塵性といった品質を落とすことなく前記擬音発生装置部２の厚みを薄くする事ができトイレ空間のスッキリ感を損なわずに二つの機能を備えることができる。また紙巻器は必ず便座に座った状態でも手が届きまた操作しやすい位置に設置されることから、トイレ空間にあるその他のアクセサリー商品と組合せるより最も使い勝手が良いと言える。前記圧力センサ１８や前記振動センサ１０の働きにより、使用者の意識に関わらず擬音を発生させることで節水効果を上げ経済的であると共に環境保護に役立つことができる。更に電池収交換作業を前記擬音発生装置部２の下方からとすることで、製品の外観を損ねる事が無く、また一般の使用者には前記電池収納部１１の存在が分からず、悪戯や電池の盗難を防ぎ、機能・安全面で品質の向上を図ることができる。
【図面の簡単な説明】
【００１７】
【図１】本発明の一実施例における紙巻器の正面から見た外観平面図
【図２】同紙巻器の擬音発生装置部の天板を取り外した状態で上方から見た平面図
【図３】同紙巻器の擬音発生装置部の断面図
【図４】同紙巻器の使用状態を示すもので、ハンガーにトイレットペーパが取り付けられている状態で壁取り付け部のみを断面とした外観側面図
【図５】同紙巻器の使用状態を示すもので、ハンガーからトイレットペーパを取り外した状態で壁取り付け部のみを断面とした外観側面図
【図６】同紙巻器の使用状態を示すもので、ハンガーにトイレットペーパが取り付けられている状態で下方から見た平面図
【図７】同紙巻器の使用状態を示すもので、ハンガーからトイレットペーパを取り外した状態で下方から見た平面図
【符号の説明】
【００１８】
１  トイレットペーパ保持部
２  擬音発生装置部
３  トイレットペーパ
４  ハンガー
５  紙切板  
６  本体ケース
７  スピーカ
８  制御基板
９  スイッチ基板
１０  振動センサ
１１  電池収納部
１２  爪
１３  窓
１４  ボタン
１５  スピーカ開口部
１６  天板
１７  ネジ
１８  圧力センサ
１９  ネジ
２０  固定板
２１  取り付け壁
２２  ネジ
２３  開口部
２４  電池取外し開口部
【図１】
2006095027.tif 000003
【図２】
2006095027.tif 000004
【図３】
2006095027.tif 000005
【図４】
2006095027.tif 000006
【図５】
2006095027.tif 000007
【図６】
2006095027.tif 000008
【図７】
2006095027.tif 000009